(57)【要約】【課題】  スカムがスカム除去装置の底水域を超えて溜りさらに越流堰により排除されないようにして水質向上を図るようにしたスカム流制御装置を提供することを目的とする。【解決手段】  側壁と前後の端壁およびピット付きの底壁とを備えるとともに前側の端壁側に汚水を流入させる整流板を備えた沈澱池内の前記整流板よりも下流側に水面に浮遊するスカムを呑み込むためのスカム除去装置を設置してなるものにおいて、前記沈澱池内のスカム除去装置よりも上流側寄りには、水面下を下流方向へ流れるスカムの下流方向への流れを阻止するエアー噴出パイプを備えていることを特徴とする。【選択図】図２
2016007604.tif 000002
【特許請求の範囲】
【請求項１】
側壁と前後の端壁およびピット付きの底壁とを備えるとともに前側の端壁側に汚水を流入させる整流板を備えた沈澱池内の前記整流板よりも下流側に水面に浮遊するスカムを呑み込むためのスカム除去装置を設置してなるものにおいて、前記沈澱池内のスカム除去装置よりも上流側寄りには、水面下を下流方向へ流れるスカムの下流方向への流れを阻止するエアー噴出パイプを備えていることを特徴とするスカム流制御装置。
【発明の詳細な説明】
【技術分野】
【０００１】  この発明は、スカム流制御装置に関する。
【背景技術】
【０００２】  沈澱池は左右の側壁と前後の端壁を備えた矩形をしたものでそれにピット付きの底壁を備えて立体構造をしたものでなり、ピットの上方に対応する前側の端壁が上流側とされてその上側には沈澱池外から導かれてきた汚水が導入される流入渠が設けられるとともに同流入渠の池内への出口に横断状に設けた多孔状の整流壁の整流孔を通じて汚水を整流化しながら緩徐な流れにして沈澱池内に送り込むようにしてそのまま下流側へゆっくりと流すことによりできるだけ上流側において沈降を促進して排除しやすくなるようにしてある。一方、上流側では沈降とは別にスカムが浮上してくることからそれらスカムを下流方向途中の水面付近に設けたスカム除去装置により自動除去するようにしてある。
そうしたスカム除去装置の一例として特許文献１に示すものがある。【０００３】
【特許文献１】  特開２００６−２１１８１
【発明の概要】
【発明が解決しようとする課題】
【０００４】  特許文献１に開示されたスカム除去装置は、左右両側壁間に装架された樋型をしたトラフとその上流側である前側にあって水面を境にして浮沈可能とされた堰とを主な構成とし、このスカム除去装置をその下流側に一体渡架した端壁（中間歩廊）の前方に配置してなる。
そうしたスカム除去装置を装備した他の例を図７に示す。同図において１は沈澱池で図の左が上流側で右が下流側であり、２は沈澱池１を形成する左右一方の側壁、３は前後端壁間に一体渡架された歩廊でこの歩廊については設けられていない場合もあり、また４は沈澱池１内の水面、５はスカム除去装置である。スカム除去装置５はトラフ７と前後の堰８，８およびフロート９付きの水位調整ゲート１０を備えるとともに、堰８は矢印のように注水されてその重さにより堰８，８を交互にあるいは同期に上下させる水タンク１１を前後に配備して定期的な堰運動をさせることで水面からのスカムを呑み込みトラフ内を通じて排除するように構成してある。
こうした沈澱池においては、水面４に浮上してくるスカムは、スカム除去装置５によって呑み込み排除できるようになっているが、水面４でなくやや低いところを浮上せずに流れるスカムについては図示矢印Ｘのようにそのままスカム除去装置５下方を抜けて流されてゆき、さらに歩廊３下を越えて下流側にスカムＳとして浮上してその一帯に次第に溜まってくる現象がみられていた。
このようにスカムＳが溜まってくると、その下流側の越流堰（Ｖノッチ付き）１３に矢印Ｙのように吸い込まれて水とともに排除されることになってしまい、その結果、得られる排出水はスカムＳ交じりのものになって水質浄化目的が今一つ達成されないという問題があった。【０００５】  この発明は、上記問題を解決しようとするもので、スカムがスカム除去装置の底水域を超えて溜りさらに越流堰により排除されないようにして水質向上を図るようにしたスカム流制御装置を提供することを目的とする。
【課題を解決するための手段】
【０００６】  この発明は上記目的を達成するため、請求項１に記載の発明は、側壁と前後の端壁およびピット付きの底壁とを備えるとともに前側の端壁側に汚水を流入させる整流板を備えた沈澱池内の前記整流板よりも下流側に水面に浮遊するスカムを呑み込むためのスカム除去装置を設置してなるものにおいて、前記沈澱池内のスカム除去装置よりも上流側寄りには、水面下を下流方向へ流れるスカムの下流方向への流れを阻止するエアー噴出パイプを備えていることを特徴とする。
【発明の効果】
【０００７】  上述したように、請求項１に記載の発明は、側壁と前後の端壁およびピット付きの底壁とを備えるとともに前側の端壁側に汚水を流入させる整流板を備えた沈澱池内の前記整流板よりも下流側に水面に浮遊するスカムを呑み込むためのスカム除去装置を設置してなるものにおいて、前記沈澱池内のスカム除去装置よりも上流側寄りには、水面下を下流方向へ流れるスカムの下流方向への流れを阻止するエアー噴出パイプを備えていることを特徴とするので、スカムがスカム除去装置の底水域を潜り抜けて同装置背部の水面上に溜りさらに越流堰により排除されないようにして全体として水質向上を図るようにしたスカム流制御装置を提供することができる。
【図面の簡単な説明】
【０００８】
【図１】  この発明の一実施形態を示す図２のＩ−Ｉ線に対応する横断面図。
【図２】  図１のＩＩ−ＩＩ線断面図。
【図３】  他の実施形態を示す図４のＩＩＩ−ＩＩＩ線に対応する横断面図。
【図４】  図３のＩＶ−ＩＶ線断面図。
【図５】  他の実施形態を示す図６のＶ−Ｖ線横断面図。
【図６】  図５のＶＩ−ＶＩ線断面図。
【図７】  従来技術の一例を示す縦断側面図。
【発明を実施するための形態】
【０００９】  以下、この発明の一実施形態を図１および図２に従って説明する。
これらの図において２０は沈澱池で図の左が上流側で右が下流側であり、２１は沈澱池２０を形成する左右の側壁、２２は前後端壁のうちの上流側一方の端壁、２３は流入渠、２５は整流板、２６は前後端壁間に一体渡架された歩廊で越流堰２７の上流側である前方に一体形成されているが、この歩廊２６については設けられていない場合もある。
【００１０】  また、２８は沈澱池２０内の水面、３０はスカム除去装置である。スカム除去装置３０は、トラフ３１と前後の堰３２，３２およびフロート３３付きの水位調整ゲート３４を備えるとともに、堰３２は矢印のように注水されてその重さにより堰３２，３２を押し下げたり排水により水面上に復帰されたりする給排水式水タンク３５を前後に配備して定期的な浮沈運動をさせることで水面からのスカムを呑み込みトラフ３１を通じて排除するように構成してある。
【００１１】  一方、沈澱池２０内の底壁３７側には、ここで昇降式スクレーパ付き進退駆動式とする汚泥掻寄装置４０が装備されている。汚泥掻寄装置４０は、底壁３７上に幅方向中央を通るようにして固定敷設されて先端部がピット４１上に伸びるようにして前・後ブラケット４２で支持された長辺矩形枠状レール４３と、このレール４３の左右の枠部上に進退走行可能な走行輪４５を介して設けられた走行台車４６、およびヒンジ４７を介して上下に運動可能とされた前後一対の汚泥スクレーパ４８とを備える。
【００１２】  汚泥スクレーパ４８の前後のものはリンク５０により同時連動可能とされるとともに、走行台車４５は、前後２台同じものが設けられてパイプ状の連動部材５１を介してつながれており、連動部材５１内に進退運動するロッドを挿通しておくことで図示した前部と後部との汚泥スクレーパ４８が連動して動くようになっている。
【００１３】  ５３はワイヤロープやリンクチェーンなどの無端環状材である伝動部材で、図示した前部や後部その他池上のドライブ用など複数点に設けられたホイール５４を介してドライブ用ホイール５５と同軸上の駆動源により進退駆動可能とされ、これにより、走行台車４６が図１・図２の左側に掻き寄せのために進出したり右側に後退するようになっている。
【００１４】  そして、走行台車４６は、図２に破線で示すように汚泥スクレーパ４８を垂直な掻寄状態にして進出してピット４１上にさしかかったところで伝動部材５３が右方向に牽かれることにより汚泥スクレーパ４８を掻き戻しのない上昇姿勢に切り換えてのち上昇姿勢のままで右の後退方向に牽き戻されるようになっている。ピット４１内に掻き落とされた汚泥は、ピット４１の底内に下端が開口し吸引力が作用する汚泥引抜管５７により吸い込まれたのち次の処理槽（濃縮槽や曝気槽）へと汚泥水として運び込まれるようになっている。
【００１５】  こうした沈澱池において、スカム除去装置３０のトラフ３１の上流側端部より２〜３ｍ上流側で水面２８から３ｍ前後没した位置には、スカム流遮断手段である水平横向きのエアー噴出パイプ６０が設けられて曝気槽などからの圧エアーを下回りの２列の噴出口から噴出可能に構成してある。この噴出エアーは水中エアーカーテン６１として縦向きに登るとともに汚水の下流方向への緩徐な流れにより図２のように僅かに右上がりの上昇流となりしかも水面２８ではスカム除去装置３０の方向へ向けて流れる気水流となるようになっている。
従って、図２のように水中でスカムが上流側からスカム除去装置３０の底流域の方向へと流れようとしても前記水中エアーカーテン６１により遮断されるとともに浮上が促進されてスカム除去装置３０により排除されるようになり、越流堰２７前方域まで達して同堰２７により清澄水とともに排除されるようなことがなくなる。
【００１６】  尚、図２の右上欄に示すように、水中におけるエアー噴出パイプ６０の上方位置には、エアーカーテン６１を受け止めて斜めに誘導してスカム除去装置３０の方向に導くようにする斜板６２を設けて浮上するスカムがスカム除去装置３０の方向により導かれるようにしてもよい。
また、図２に示すように、トラフ３１の底面には、池幅全体に亘るようにした遮蔽板６３を垂下してスカム流をここで阻止するようにしてもよい。この遮蔽板６３は、トラフ３１の前端から垂下してその前方域にスカムが溜まらないようにしたり、あるいは図２の右上欄に示すように、トラフ３１の前端部から後斜めに下がるような板材で構成することにより遮蔽板６３の前方域にスカムが溜まらないようにすることができる。遮蔽板６３としては金属あるいは樹脂などの面状板の他に、多孔板や網状材、あるいはすだれ状のものにしてスカムのみは捕捉して水は通すような構成にしてもよい。
【００１７】  沈澱池２０内の底壁３７の数ｍ上方域には図２に示すように比重が沈澱物よりも小さい結果浮遊層状域６４を形成することが多々ある。そのことを考慮して、エアー噴出パイプ６５を直管状にして前後複数本あるいは単一本固定配備してスカムの浮上を促進する一方において整流板２５から流れ来てさらに下流方向に流れ込もうとする沈降可能な汚泥類を流れ阻止して下方へ向けて沈降を促しより上流側での沈殿量を増やすことができるようにしてもよい。これにより、沈殿と浮上の促進が上流寄りのより早い段階で効果的になされる結果分離促進効果が上がって水質向上が図れることになる。
尚、図１に示すように、エアー噴出パイプ６６をドーナツ型にして浮遊層状域６４の下方高さあるいは域内高さにくるように設置してもよい。図１の下欄に示すような楕円型あるいは長円型のエアー噴出パイプ６６´にしてもよい。
【００１８】  図３および図４は他の実施形態を示す。同実施形態は、エアー噴出パイプ６８を湾曲状のものにしてピット４１の直ぐ後寄り位置上方に略対応する１．５〜２ｍ高さ位置に固定設置したものであり、その幅方向中央部分は浮遊層状域６４の下方ありは内域に対応するようにして浮遊しているものを浮上と沈降のいずれかに作用させ分離促進効果が得られるようにしたものである。
尚、このエアー噴出パイプ６８は、図３に仮想線で示すように、同じく湾曲した他のパイプ６８を前後対称をなすように配備してより沈降が促進されるようにしてもよい。
【００１９】  図５および図６は他の実施形態を示す。同実施形態は、ストロークＳｔが図６のように進退する汚泥掻寄装置４０上にエアー噴出パイプ７０を備えて同じく進退運動するように設けることもできる。その一例として、同パイプ７０は、リンク５０上あるいは台車４６上などに設置して上方からフレキシブルチューブによりエアーを誘導するようにすることができる。このパイプ７０からのエアーは浮遊層状域６４の下方を進退しながら作用することから分離作用効果が有効に得られる。同パイプ７０は、図示した位置の他、下流側位置にも他のエアー噴出パイプ７０を配備して浮遊層状域６４のより広範囲にエアーを作用させるようにしてもよい。
【符号の説明】
【００２０】  ２０…沈澱池  ２１…側壁  ２２…端壁  ２３…流入渠  ２５…整流板  ２７…越流堰  ３０…スカム除去装置  ３１…トラフ  ４０…汚泥掻寄装置  ６０，６５，６６，６６´，６８，７０…エアー噴出パイプ。
【図１】
2016007604.tif 000003
【図２】
2016007604.tif 000004
【図３】
2016007604.tif 000005
【図４】
2016007604.tif 000006
【図５】
2016007604.tif 000007
【図６】
2016007604.tif 000008
【図７】
2016007604.tif 000009